【手続補正書】
【提出日】平成20年7月1日(2008.7.1)
【手続補正１】
【補正対象書類名】明細書
【補正対象項目名】特許請求の範囲
【補正方法】変更
【補正の内容】
【特許請求の範囲】
【請求項１】  近位端部と遠位端部とを有し、長手方向軸線の周りに回転することができるアクセス装置と、
前記アクセス装置の前記遠位端部に沿って配置され、前記アクセス装置より実質的に大きな第１の断面外形を有し、工作物の選択された部分を研磨する研磨材料が備えられている少なくとも１つの研磨機構と、
前記研磨機構より実質的に大きな第２の断面外形を有し、前記研磨機構が前記工作物に沿って前進させられている時に前記工作物を保護するように配置された、望ましくない研磨から前記工作物を保護する少なくとも１つの非研磨部材と、
を有する、ばり除去用の装置。
【請求項２】  前記非研磨部材は前記研磨機構上に取り付けられている、請求項１に記載の装置。
【請求項３】  前記非研磨部材は前記アクセス装置上に取り付けられている、請求項１に記載の装置。
【請求項４】  前記非研磨部材は前記研磨機構に対して遠位側に取り付けられている、請求項１に記載の装置。
【請求項５】  前記非研磨部材は円形の断面を有している、請求項１に記載の装置。
【請求項６】  前記研磨機構は、ばりを除去すべき表面の外周に比べて小さい、請求項１に記載の装置。
【請求項７】  前記非研磨部材はカラーである、請求項１に記載の装置。
【請求項８】  前記カラーは、前記研磨機構の外側の部分の周りを延びている、請求項７に記載の装置。
【請求項９】  前記研磨機構は実質的に半球形に形成されており、前記カラーは前記研磨機構の外側の部分の周りを延びている、請求項７に記載の装置。
【請求項１０】  前記研磨機構は実質的に球形に形成されており、前記カラーは前記研磨機構の外側の中央部分の周りを延びている、請求項７に記載の装置。
【請求項１１】  前記アクセス装置は、選択された方向に前記シャフトにかけられる力に応答して、選択された方向に向きをそらし、または湾曲することができる、請求項１に記載の装置。
【請求項１２】  前記アクセス装置の前記遠位端部を前記研磨機構に連結するコイルばねをさらに有し、該コイルばねは、前記研磨機構が前記アクセス装置に対して向きをそらすのを可能にするように構成されている、請求項１１に記載の装置。
【請求項１３】  前記研磨機構に対して近位側の位置で前記アクセス装置に連結された研磨リングをさらに有する、請求項１に記載の装置。
【請求項１４】  前記研磨機構は、前記アクセス装置の前記遠位端部にピボット運動可能に連結されている、請求項１に記載の装置。
【請求項１５】  前記アクセス装置は非研磨面を備えた細長い作動シャフトである、請求項１に記載の装置。
【請求項１６】  近位端部と遠位端部とを有する、実質的に剛体の駆動シャフトと、
前記駆動シャフトの前記遠位端部と前記作動シャフトの前記近位端部との間に位置し、前記作動シャフトが前記駆動シャフトに対して向きをそらすのを可能にする可撓性係合部材と、
をさらに有する、請求項１５に記載の装置。
【請求項１７】  前記研磨機構は、工作物の角部を研磨するのに合った形状にされている、請求項１に記載の装置。
【請求項１８】  前記非研磨部材は、前記工作物に沿って前進させられている時に前記工作物の壁と当接するようにされている、請求項１に記載の装置。
【請求項１９】  工作物の角部からばりを除去する方法であって、
遠位端部を有する細長いアクセス装置を設けることと、
工作物の角部を研磨することができる研磨材料を含み前記アクセス装置よりも大きな直径を有する研磨機構を、前記アクセス装置の前記遠位端部に沿って設けることと、
前記研磨機構よりも大きな直径を有し、前記工作物を実質的に研磨しない非研磨部材を、前記アクセス装置の前記遠位端部に沿って設けることと、
前記アクセス装置を前記工作物に対して回転させることと、
前記ばり除去装置を前記工作物の壁に沿って前進させ、この際、前記研磨機構が前記工作物の前記角部に接触するように前記非研磨部材が前記角部の遠位側に前進させられるまで前記非研磨部材を前記壁に当接させておくことと、
前記角部を前記研磨機構に接触させて研磨することによって、少なくとも１つのばりを除去することと、
を含む方法。
【手続補正２】
【補正対象書類名】明細書
【補正対象項目名】０００７
【補正方法】変更
【補正の内容】
【０００７】
ばり除去工具は、一般的に、アクセス装置（例えば、作動シャフト）と、研磨面と、非研磨部材と、を有している。研磨面は、アクセス装置より大きな断面外形を有している。非研磨部材は、研磨機構より大きな断面外形を有している。非研磨部材は、工具がばりに向けて前進させられている時に研磨面から工作物を保護するようにされている。この非研磨部材は、研磨表面が工作物に不注意に接触し工作物が研磨されるのを防ぎ、したがって、工具を小さい開口部（例えば、孔）を通って前進させる時、または工具を安定した位置に維持するのが困難である状況で、特に有用である。このばり除去工具の重要な利点は、研磨機構が、不規則な形状である場合があり、または工作物内の、扱いにくい領域に位置いている場合がある表面を選択的に研削することができることである。工具はばりの除去に関連して説明されるが、他の種々の表面を研磨するのに用いることもできる。
【手続補正３】
【補正対象書類名】明細書
【補正対象項目名】０００８
【補正方法】変更
【補正の内容】
【０００８】
本発明の一態様によれば、概して、回転可能な作動シャフトと、作動シャフトの遠位端に取り付けられた研磨機構と、研磨機構上に取り付けられた非研磨部材を有するばり除去工具が提供される。研磨機構は、概ね円筒対称な形状である、（好ましくはモース硬さが少なくとも約５．５である）露出された研磨面を有している。非研磨部材は、表面を望ましくない擦れまたはえぐれから保護するために、（好ましくは５．５よりずっと低いモース硬さを有する）研磨性が比較的低い材料で作られている。
本装置の変形例では、非研磨部材は研磨機構上またはアクセス装置上に取り付けられていてもよい。一つの好ましい実施態様では、非研磨部材は研磨機構に対して遠位側に取り付けられており、外側が円形になっている。非研磨部材はカラーの形態で設けられていてもよく、研磨機構の外側の周りを延びていてもよい。
【手続補正４】
【補正対象書類名】明細書
【補正対象項目名】００１３
【補正方法】削除
【補正の内容】
【手続補正５】
【補正対象書類名】明細書
【補正対象項目名】００１８
【補正方法】変更
【補正の内容】
【００１８】
本発明の装置の他の態様において、好ましい実施態様は、安全で、信頼でき、使いやすく、製造費が安いばり除去工具も提供する。
本発明の他の態様では、工作物の角部からばりを除去する方法が提供される。この方法は、研磨機構を備えたアクセス装置を遠位端部に沿って設けることを含んでいる。研磨機構は、工作物の角部を研磨することができる研磨材料を含んでいる。さらに、研磨機構より大きな断面外形を有する非研磨部材が設けられる。アクセス装置と研磨機構は回転させられ、工具は工作物の選択された領域に向かって前進させられる。非研磨部材は、選択された領域に向かって前進させられるときに、工作物の壁に当接させられることができる。非研磨部材が工作物の角部を超えて前進させられると、研磨機構は工作物と接触し、ばりその他の材料を工作物から除去する。
この方法の変形例では、工作物のばりの付いた表面は、アクセス装置の代わりに工作物を回転させることによって、あるいはアクセス装置とは独立して工作物を回転させることによって、ばりが除去される。